(57)【特許請求の範囲】
【請求項１】
円筒体の長手方向の一端に電線管又は配線保護管の端部を被嵌する取付開口部を有し、且つ他端に電線管内の又は配線保護管内の配線が取出し可能とされる配線取出開口部を有してなる金属製のブッシングであって、
配線取出開口部の開口周縁には、円筒体の先端が当該円筒体の周壁に沿うように内方に折り返された内方折返し部が設けられ、
前記開口周縁における配線との接触部分が曲面形状とされており、
前記内方折返し部は、前記取付開口部側に臨む先端ほど径外方向に位置するように傾斜する傾斜面を有している
ことを特徴とするブッシング。
【発明の詳細な説明】
【技術分野】
【０００１】
本発明は、電線管又は配線保護管の端部に取り付けられるブッシングに関するものである。
【背景技術】
【０００２】
以前から、内部に配線を収容する電線管又は配線保護管（以下、電線管等という）の切断面等の端部に取り付けられるブッシングが知られている（例えば、特許文献１参照）。このブッシングは、種々のものが存在するが、例えば図５のような金属製の円筒体９２を主体とするものがあり、その円筒体９２の長手方向の一端に電線管等の端部を被嵌する取付開口部９３を有し、且つ他端に電線管等の内部の配線５１が取出し可能とされる配線取出開口部９０を有する構造となっている。このブッシングを電線管等の端部に取り付けるに当たり、ブッシングの取付開口部９３を電線管等の端部に被嵌させることで、電線管等の切断面のエッジを覆い、この電線管等の切断面のエッジと電線管等から取り出された配線５１とが直接接触しないようにしていた。
【０００３】
このように、従来は、電線管等から取り出された配線５１が電線管等の切断面のエッジに直接接触するのを防ぐことで、この配線５１が電線管等の切断面の鋭利なエッジにより傷ついてしまったりあるいは切断されてしまったりするのを防止しようとするものであった。
【先行技術文献】
【特許文献】
【０００４】
【特許文献１】実用新案登録第３０７１９８９号公報
【発明の概要】
【発明が解決しようとする課題】
【０００５】
ところで、このような金属製のブッシングを電線管等の端部に取り付けた場合、確かに、配線５１が電線管等の切断面のエッジに接触すること自体は回避することができる。しかし、金属製のブッシングの配線取出開口部９０の開口縁部は露出したままの状態であり、仮にこの開口端部に鋭利なエッジ部分が存在すれば、この鋭利なエッジ部分により配線取出開口部９０から取り出される配線５１が傷つけられてしまったり、あるいは切断されてしまったりしてしまう。このため、この配線取出開口部９０の開口周縁に鋭利なエッジが発生しないようにする必要がある。
【０００６】
この点、例えば金属製のブッシングを鋳造により製造した場合、製造後の金属製のブッシングの配線取出開口部９０の開口周縁に発生した鋭利なエッジを研磨して除去するか、あるいは、配線取出開口部９０の開口周縁が滑らかな面となるように成形可能な金型をあらかじめ作製し、この金型を用いて金属製のブッシングを製造するようにしていた。
【０００７】
ところがこのエッジ除去のための研磨作業は、手間や時間が掛かるため、作業工数が増大する要因ともなり、また、新たな金型の作製はコストアップの要因ともなってしまう。
【０００８】
本発明は、上記事情に鑑みてなされたものであり、その目的とするところは、配線取出開口部の開口周縁に研磨作業をしなくても鋭利なエッジを生じさせない金属製のブッシングを提供することにある。
【課題を解決するための手段】
【０００９】
上記課題を解決するために本発明のブッシングは以下の構成とする。
【００１０】
すなわち、本発明は、円筒体１の長手方向の一端に電線管５又は配線保護管の端部を被嵌する取付開口部２を有し、且つ他端に電線管５内の又は配線保護管内の配線５１が取出し可能とされる配線取出開口部３を有してなる金属製のブッシング４である。配線取出開口部３の開口周縁には、円筒体の先端が当該円筒体の周壁に沿うように内方に折り返された内方折返し部３１が設けられ、前記開口周縁における配線５１との接触部分が曲面形状とされており、内方折返し部３１は、取付開口部２側に臨む先端ほど径外方向に位置するように傾斜する傾斜面３２を有している。
【００１１】
このように配線取出開口部３の開口周縁が外方又は内方のいずれかに折り返されて、配線５１との接触部分が曲面形状となっているので、配管取出開口部３から取り出した配線５１が、その開口周縁と直接接触したとしても、傷付いてしまったり切断されてしまったりするのを防止できる。
【００１２】
その上、本発明のブッシング４は、円筒体１を所定の長さで切断し、配線取出開口部３側の開口周縁を折り返すだけで形成可能であるため、電線管５又は配線保護管の破材を流用して成形することも可能である。
【００１４】
さらに、電線管５の内部の配線５１を外方に取り出すに当たり、内方折返し部３１の取付開口部２側に臨む先端に配線５１が引っ掛りにくく、配線５１が導出しやすくなると共に、前記先端により配線５１が傷付けられにくくなる。
【発明の効果】
【００１５】
本願発明によれば、配線取出開口部の開口周縁に研磨作業をしなくても鋭利なエッジを生じさせない金属製のブッシングを提供することができる。
【図面の簡単な説明】
【００１６】
【図１】本発明の一実施形態のブッシングを示す側断面図である。
【図２】同上のブッシングを示す図であり（ａ）は側面図であり（ｂ）は取付開口部側から見た正面図である。
【図３】同上のブッシングを使用した使用例を示す側断面図である。
【図４】他の実施形態のブッシングを示す図であり（ａ）は側断面図であり（ｂ）は正面図である。
【図５】従来の金属製のブッシングの側断面図である。
【発明を実施するための形態】
【００１７】
以下、本発明の実施形態について添付図面に基づいて説明する。
【００１８】
図１及び図２には本実施形態のブッシング４が示されており、本実施形態のブッシング４を使用した使用例が図３に示されている。
【００１９】
本実施形態のブッシング４は、図１及び図２に示されるように、円筒体１により主体が構成されており、長手方向の一端が電線管５の端部を被嵌する取付開口部２とされると共に、その他端が電線管５内の配線５１が取出し可能とされる配線取出開口部３とされ、円筒体１の周壁に電線管５の端部に固定するための固定手段１１が設けられている。本実施形態のブッシング４は、金属製の管材６を所定の長さで切断したものから形成されており、具体的にはステンレス管から成る。このステンレス管の断面は、一端から他端まで略同じ形状とされている。
【００２０】
取付開口部２の内径は電線管５の外径と略同じ径とされている。この取付開口部２から長手方向の中央側に位置する部位には、円筒体１の周壁の内外を貫通するようにねじ孔１２が穿設されている。このねじ孔１２にはボルト１３がねじ込まれており、ねじ孔１２と、ボルト１３とで本実施形態の固定手段１１が構成されている。
【００２１】
配線取出開口部３は、管材６の切断した開口端縁を内側に折り返すことで形成されている。図１に示されるように、配線取出開口部３は、管材６の開口端縁を内側に折り返した内方折返し部３１を備えており、その内方折返し部３１の取付開口部２側の端部３１０（すなわち、管材６の開口端縁）が、管材６の周壁内面に当接している。内方折返し部３１の基部３１１は、円筒体１の周壁と連続しており、外面が滑らかな曲面形状とされる。この内方折返し部３１は、取付開口部２側の先端よりも軸芯側に位置する頂部３１２を有しており、つまり取付開口部２側に臨む先端ほど径外方向に位置するように傾斜する傾斜面３２を有している。
【００２２】
このような構成の金属製のブッシング４は、図３に示されるように、内部に配線５１を収容する電線管５の端部に取り付けられる。以下、本実施形態のブッシング４の使用例につき説明する。
【００２３】
本使用例は、壁面等の施工面８に固定する配線ボックス７に本実施形態のブッシング４が適用された一例が示されている。本使用例は、図３に示されるように、建物において壁面等の施工面８に配線器具（図示せず）を配設するため施工面８に配線ボックス７を露出した状態で固定し、この配線ボックス７の上面から下方に向けて電線管５を貫設し、この電線管５の内部を通る配線５１を介して、配線ボックス７に取り付けられた配線器具に電力を供給したり、配線器具から他の電気機器に電気信号を送信したり等する。
【００２４】
配線ボックス７は、矩形状の後板７３の周縁から側壁７１を前方へ突設して前面が開口した箱形状となっており、金属または合成樹脂成形品により構成されている。この側壁７１の上面には電線管５の先端を上方から下方に挿通するための電線管挿通孔７２が穿設されている。また、後板７３には施工面８に固着具を用いて取り付けるための固着具挿通孔（図示せず）が複数箇所に穿設されている。
【００２５】
電線管５は、可撓性のない金属製のものであり、内部に配される配線５１を保護する。この電線管５の端部は配線ボックス７の上面よりも下方に位置しており、その端部に本実施形態のブッシング４が取り付けられている。なお、図示は省略するが、配線ボックス７の後板７３の電線管挿通孔７２には電線管５を固定するための電線管固定手段が設けられている。
【００２６】
ブッシング４は、取付開口部２により電線管５の端部を被嵌した上で固定手段１１により固定されることで電線管５の端部に取り付けられている。そして、配線取出開口部３を介して配線５１を取り出す。この配線５１は、絶縁された電線を複数有しており、例えば、一端が配線ボックス７に取り付けられた配線器具に電気的に接続され、他端が図示しない電力供給部に電気的に接続されている。
【００２７】
このような構成の配線ボックス７内においては、配線５１がブッシング４の配線取出開口部３の開口周縁に接触する場合もあるが、ブッシング４の配線取出開口部３の開口周縁が、内方に折り返されており、開口周縁における配線５１との接触部分が曲面形状とされているので、配線取出開口部３から取り出した配線５１が、その開口周縁と直接接触したとしても、傷付いてしまったり切断されてしまったりするのを防止できる。
【００２８】
また、内方折返し部３１は取付開口部２側に臨む先端ほど径外方向に位置するように傾斜する傾斜面３２を有しているので、電線管５の内部の配線５１を外方に取り出すに当たり、内方折返し部３１の取付開口部２側に臨む先端に配線５１が引っ掛りにくく、配線５１が導出しやすくなると共に、前記先端により配線５１が傷付けられにくくなる。
【００２９】
ここで、従来のブッシングは、図５に示されるように、切削加工あるいは鋳造等の製法により形成されており、切削加工あるいは鋳造等の直後には配線５１を取り出す開口部９０の開口周縁に鋭利なエッジが存在する。そこで、配線５１を取り出す開口部９０の開口周縁においては、この鋭利なエッジを除去するために研磨作業を必要としていた。このため、従来のブッシング４は、切削加工あるいは鋳造等による製造に手間やコストがかかることに加えて、研磨作業にも非常に手間が掛かるものとなっていた。この点、本実施形態のブッシング４によれば、管材６を切断すると共に、配線取出開口部３の開口周縁を折り返すだけでよいので、生産性を著しく向上させることが可能となる。
【００３０】
また、通常、管材６は引抜き加工により成形されるため、あらかじめ管材６の周壁は滑らかな光沢面となっている。このため、本実施形態のブッシング４は研磨作業を行なわなくても一定の光沢が得られるとともに滑らかな面が得られるというメリットもある。
【００３１】
さらに、本実施形態のブッシング４は、電線管５に取り付けられた状態で、電線管５の端部が内方折返し部３１の取付開口部２側の端部３１０と当接するようになっている。このため、図５に示される従来のブッシングのように、電線管５の端部が当接する段差部９１を必要としない。つまり本実施形態のブッシング４は、より簡略化した構造で電線管５の管止めができる構成となっており、従来のものと比較してさらに生産性を向上させる。
【００３２】
次に、他の実施形態について図４に基づいて説明する。なお、本実施形態は図１及び図２に示す実施形態と大部分において同じであるため、同じ部分においては同符号を付して説明を省略し、主に異なる部分について説明する。
【００３３】
本実施形態のブッシング４は、図４に示されるように、配線取出開口部３の開口周縁が外方に折り返されている。この外方に折り返された部分は、円筒体１の周壁に略平行な状態で沿うように折り返されている。また、配線取出開口部３と取付開口部２との間には段部１４が設けられており、配線取出開口部３の内径が取付開口部２の内径よりも小径とされている。詳しくは配線取出開口部３の内径は、電線管５の内径と略同一か、若しくは電線管５の内径以上で且つ電線管５の外径以下となるように形成されている。
【００３４】
このような構成によっても、配線取出開口部３から取り出した配線５１が、その開口周縁に直接接触したとしても、配線取出開口部３の開口周縁が外方に折り返されているので、傷付いてしまったり切断されてしまったりするのを防止できる。
【００３５】
また、本実施形態の段部１４には取付開口部２から挿通された電線管５の端部が当接する。つまり、この段部１４が電線管５の管止めとなっており、図５に示された従来のブッシング４よりも簡略された構成で、電線管５の管止めができる構成となっている。
【００３６】
なお、上記の実施形態において、電線管５は金属から構成されていたが、本発明の電線管は、例えば樹脂製のものであってもよく、特に限定されるものではない。また、本実施形態のブッシング４は電線管５に取り付けられていたが、本発明のブッシングは配線保護管であってももちろん適用可能である。さらに、本実施形態の電線管５は、可撓性を有していないが、本発明の電線管又は配線保護管はこの点に特に限定されない。また、本発明の配線は、上記使用例における配線５１の構成に限定されるものではない。
【符号の説明】
【００３７】
１      円筒体
１１    固定手段
１２    ねじ孔
１３    ボルト
１４    段部
２      取付開口部
３      配線取出開口部
３１    内方折返し部
３１０  取付開口部側の端部
３１１  基部
３１２  頂部
３２    傾斜面
４      ブッシング
５      電線管
５１    配線
６      管材
７      配線ボックス
７１    側壁
７２    電線管挿通孔
７３    後板
８      施工面
【図１】
0005616614.tif 000002
【図２】
0005616614.tif 000003
【図３】
0005616614.tif 000004
【図４】
0005616614.tif 000005
【図５】
0005616614.tif 000006